(57)【要約】      （修正有）【課題】散熱効果を向上させたＬＥＤ灯の散熱器を提供する。【解決手段】散熱器は台座１とスタンド２を備える。台座１は、上台座１１及び上台座１１に対応の下台座１２、及び複数の長いシート状フィン３が備わっており、上下台座１１、１２の間には一定の距離が保たれ、複数の長いシート状フィン３は、上台座１１と下台座１２の外表面に固定されるように設けられ、隣接した二つのフィン３の間には一定の距離が保たれる。スタンド２はＬＥＤ電子回路基板をねじで締め付けるためのねじ孔４を有し、上台座１１上に設けられ、下台座１２にライトホルダーのねじヘッドを締め付けるための内ねじ孔１３が設けられる。【選択図】図４
0003161451.tif 000002
【実用新案登録請求の範囲】
【請求項１】
上端にライトシェル（６）が結合され、下端にライトホルダー（５）が結合されるＬＥＤ灯の散熱器であって、
台座（１）とスタンド（２）を備えてなり、
前記台座（１）は、
上台座（１１）と、
前記上台座（１１）との間に一定の距離を保ち、前記上台座（１１）に対応する下台座（１２）と、
前記上台座（１１）の外表面と前記下台座（１２）の外表面との間に固定され、前記上台座（１１）及び前記下台座（１２）の周方向に一定の距離を保ち隣接配置される複数の長いシート状フィン（３）とを備え、
前記スタンド（２）は、ＬＥＤ電子回路基板（８）をねじで締め付けるためのねじ孔（４）を有し、前記上台座（１１）上に設けられ、
前記下台座（１２）に、ライトホルダー（５）のねじヘッド（５１）を締め付けるための内ねじ孔（１３）が設けられる、
ことを特徴とするＬＥＤ灯の散熱器。
【考案の詳細な説明】
【技術分野】
【０００１】
本考案はＬＥＤ灯の散熱器に関する。
【背景技術】
【０００２】
ＬＥＤは高効率の光源で、サイズが小さい、消費電力が低いなどのメリットがあり、車、交通信号、画面ディスプレイから照明の分野まで幅広く使用されている。応用ニーズの発展に伴い、高効率のＬＥＤ灯の使用が必要になるが、ハイパワーのＬＥＤの作動中は放出される熱が多く、これらの放出熱が即時に放出または散熱されるか否かは、ＬＥＤの発光品質及び寿命に関わる重大な要因となる。温度が高すぎるという問題を解決するために、従来は、ＬＥＤに金属散熱器を取り付けて、ＬＥＤの散熱面積を拡大して、ＬＥＤの作動時に放出される熱を即時に大気中へ伝えるようにしている。現在のＬＥＤ灯の散熱器は一般にアルミニウム材が使用されており、基本的に密閉構造が採用されて、ＬＥＤ部品から放出された熱はアルミニウム材を通して放出されるようになっている（特許文献１参照）。
【先行技術文献】
【特許文献】
【０００３】
【特許文献１】実用新案登録第３１５４８３７号公報（段落０００７）
【考案の概要】
【考案が解決しようとする課題】
【０００４】
しかしながら、一般に、ＬＥＤ灯の散熱器はアルミニウム材が使用され、ＬＥＤ部品から放出された熱をアルミニウム材を通して放出するようになっているため、このような構造では、散熱効果が低いという問題がある。
【０００５】
本考案は、上記従来の問題を解決するものであり、この種のＬＥＤ灯の散熱器において、散熱効果を向上させること、を目的とする。
【課題を解決するための手段】
【０００６】
上記目的を達成するために、本考案は、上端がライトシェル（６）と結合、下端がライトホルダー（５）と結合されるように設けられているＬＥＤ灯の散熱器であり、台座（１）とスタンド（２）を備えてなり、該台座（１）は、上台座（１１）及び上台座（１１）に対応の下台座（１２）、及び複数の長いシート状フィン（３）が備わっており、該上下台座（１１）、（１２）の間には一定の距離，が保たれ、複数の長いシート状フィン（３）は、上台座（１１）と下台座（１２）の外表面に固定されるように設けられ、隣接した二つの該フィン（３）の間には一定の距離が保たれており、該スタンド（２）は、台座（１）の上台座（１１）に設けられ、スタンド（２）は、ＬＥＤ電子回路基板（８）をねじで締め付けるためのねじ孔（４）、該下台座（１２）には、ライトホルダー（５）のねじヘッド（５１）を締め付けるための内ねじ孔（１３）が設けられていることを要旨とする。
【考案の効果】
【０００７】
本考案は、上記の構成により、次のような効果を奏する。すなわち、フィンの間に隙間があって、ＬＥＤ部品から放出された熱がその隙間を通って大気中へ流れることになり、散熱性が向上される。フィンに隙間が残されることで、無駄な材料使いが減少でき、製造コストが削減される。中空の散熱体の内部には、スタンドのみが設けられることで、従来の中間隔離層はなく、空気の対流効率が向上されると同時に、製造コストも削減される。
【図面の簡単な説明】
【０００８】
【図１】本考案の一実施の形態におけるＬＥＤ灯の散熱器の正面図
【図２】同散熱器の底面図
【図３】同散熱器の平面図
【図４】同散熱器の断面図
【図５】同散熱器を用いたＬＥＤ電球の断面図
【図６】同散熱器の底面側から見た斜視図
【図７】同散熱器の平面側から見た斜視図
【考案を実施するための形態】
【０００９】
次に、この考案を実施するための形態について図を用いて説明する。図１に示すように、ＬＥＤ灯の散熱器は、台座１とスタンド２を備えてなる。そして、図５に示すように、台座１の上端にライトシェル６が結合され、下端にライトホルダー５が結合される。
【００１０】
台座１は、図３及び図７、図２及び図６に示すように、上台座１１と、この上台座１１との間に一定の距離を保ち、上台座１１に対応する下台座１２と、上台座１１の外表面と下台座１２の外表面との間に固定され、上台座１１及び下台座１２の周方向に一定の距離を保ちながら隣接配置される複数の長いシート状フィン３とを備える。また、下台座１２の内壁には、図４に示すように、ライトホルダー５のねじヘッド５１を締め付けるためのねじが切られて、内ねじ孔１３が設けられる。
【００１１】
スタンド２は、図３及び図７に示すように、ＬＥＤ電子回路基板８をねじで締め付けるためのねじ孔４が形成され、図４に示すように、上台座１１上に設けられる。電子回路基板８の上にはＬＥＤ８１があり、ＬＥＤ８１が発光して生じる熱はスタンド２を通して、上台座１１へ伝わり、更に、フィン３へと伝わって、最高の散熱効果が果たせることになる。
【００１２】
図５にこの散熱器を用いたＬＥＤ灯の構造を示している。図５に示すように、このＬＥＤ灯は散熱器、ライトシェル６、ライトホルダー５からなる。電子回路基板８はスタンド２上に固定され、ライトシェル６が電子回路基板８を覆って、上台座１１上に固定される。電子回路基板８のプラス・マイナス極の二電線７とライトホルダー５のプラス・マイナス極が接続され、ライトホルダー５はねじヘッド５１が下台座１２の内ねじ孔１３にねじ合わせされて固定される。このようにしてＬＥＤ８１は作動中に生じる熱が散熱器の散熱によって消えていく。この場合、散熱器の周りに設けられた散熱フィン３により、散熱の面積が大きくなり、また、各散熱フィン３間に隙間が設けられていることで、熱がその隙間を通って、大気中へ流れるようになり、これにより最高な散熱効果が発揮される。
【００１３】
以上説明したように、この散熱器によれば、複数のフィン３の間に隙間があって、ＬＥＤ８１から放出された熱をその隙間を通して大気中へ流すことができ、これにより散熱性を向上させることができる。また、複数のフィン３の間に隙間が残されることで、この隙間の分だけ無駄に材料を使うことがなく、材料を減少して、製造コストを削減することができる。さらに、散熱体の中空の内部には、スタンド２のみが設けられるだけで、従来の中間隔離層はなく、これにより空気の対流効率を向上させることができるとともに、製造コストを削減することができる。
【符号の説明】
【００１４】
１  台座
１１  上台座
１２  下台座
１３  内ねじ孔
２  スタンド
３  フィン
４  ねじ孔
５  ライトホルダー
５１  ねじヘッド
６  ライトシェル
７  電線．
８  電子回路基板
８１  ＬＥＤ
【図１】
0003161451.tif 000003
【図２】
0003161451.tif 000004
【図３】
0003161451.tif 000005
【図４】
0003161451.tif 000006
【図５】
0003161451.tif 000007
【図６】
0003161451.tif 000008
【図７】
0003161451.tif 000009